(57)【要約】【課題】比較的簡単な構成でリンク機構を一体物としてユニット化し、組立て作業を容易とした漏電遮断器を提供する。【解決手段】操作ハンドル２は、漏電遮断器１０の閉状態と開状態とを切り替える。可動子４は、固定接点に接触する位置と、固定接点に接触しない位置とにわたって可動接点を移動させる。リンク軸５は、操作ハンドル２と可動子４とに連結され、操作ハンドル２の位置と可動子４の位置とを対応づける。フレーム１は、対向した状態で底面１ｃから立設する、側壁１ａ、１ｂを有する。操作ハンドル２、可動子４、リンク軸５は、側壁１ａに対して組み付けられる。側壁１ｂは、底面１ｃに対する立設角を変更可能に設けられるとともに、側壁１ａに対して組み付けられた操作ハンドル２、可動子４、リンク軸５の抜け止めとなる。【選択図】図３
2018101553.tif 000002
【特許請求の範囲】
【請求項１】
閉状態と開状態とを切り替える操作ハンドルと、
固定接点に接触する位置と、固定接点に接触しない位置とにわたって可動接点を移動させる可動子と、
前記操作ハンドルと前記可動子とに連結され、前記操作ハンドルの位置と前記可動子の位置とを対応づけるリンク軸と、
対向した状態で底面から立設する、第１の側壁及び第２の側壁を有するフレームと、
を備え、
前記第１の側壁に対して、前記操作ハンドル、前記可動子、前記リンク軸が組み付けられるとともに、前記底面に対する立設角を変更可能に設けられた前記第２の側壁が、前記第１の側壁に対して組み付けられた前記操作ハンドル、前記可動子、前記リンク軸の抜け止めとなる、漏電遮断器。
【請求項２】
前記立設角を構成する、前記第２の側壁と前記底面と境界部分の変形強度が、前記フレームの他の部分の変形強度よりも弱い請求項１記載の漏電遮断器。
【請求項３】
前記第２の側壁が貫通孔を備え、前記第１の側壁に支持されるとともに、当該貫通孔に挿入される軸部材がある場合、当該軸部材の第２の側壁側の端部に切欠き部が設けられる請求項１又は請求項２記載の漏電遮断器。
【発明の詳細な説明】
【技術分野】
【０００１】
本発明は、漏電遮断器に関し、特に、組立て作業を容易とした漏電遮断器に関する。
【背景技術】
【０００２】
従来、漏電遮断器では、主回路に介在された可動接点を移動させるためにリンク機構が使用されている。リンク機構は、操作ハンドルの移動に応じて可動接点を移動させて主回路の開閉を実現するとともに、主回路が閉状態に維持されている状態で漏電が検知された場合、瞬間的に可動接点を移動させて主回路を開状態にするトリップ動作を実現する。
【０００３】
このような機能を実現するために、リンク機構は種々の回動部品を含んでいる。また、トリップ動作を実現するため、主回路が閉状態に維持されている状態のリンク機構には、開状態に対応する位置に可動接点を移動させるための付勢力が常に作用しており、回動部品はこの付勢力に抗して可動接点を閉状態に対応する位置に維持する必要がある。このような付勢力に対する耐性を高めるため、一旦組み立てられたリンク機構からは回動部品は分解不可能（離脱不能）な構成になっている。
【０００４】
例えば、回動部品と回動軸とが別部品で構成され、回動部品が備える貫通孔に軸部材が挿入されることで回動動作を可能とする回動部品では、軸部材の両端がフレーム（例えば、断面コ字型のフレーム）に離脱不能に固着される（例えば、特許文献１等）。
【０００５】
また、軸部材の一端がフレーム（例えば、断面Ｌ字型のフレーム）に固着され、他端がケース等の他の部材に支持される構成も採用されている。このような構成では、フレームをケース等の他の部材に組み込むまでは、回動部品はフレームから容易に離脱可能であるが、フレームをケース等の他の部材に組み込んだ後は、離脱不能な状態になる。
【先行技術文献】
【特許文献】
【０００６】
【特許文献１】特開２００６−１００２２０号公報
【発明の概要】
【発明が解決しようとする課題】
【０００７】
しかしながら、上述のような、軸部材の両端をフレームに固着する構成では、フレームに対して軸部材の両端を加締めたり、締結部品を使用して締結したりする作業が必要になる。また、軸部材の一方端をケース等の別部材に組み付けることで軸部材を固定する構成では、別部材に組み付ける際に、回動部品が離脱可能な構成であるため、組み付け作業を慎重に行う必要があり、作業性が低下してしまう。
【０００８】
本発明は、このような従来技術の課題を鑑みてなされたものであって、比較的簡単な構成でリンク機構を分解不可能な一体物としてユニット化し、組立て作業を容易とした漏電遮断器を提供することを目的とする。
【課題を解決するための手段】
【０００９】
上述の目的を達成するために、本発明は以下の技術的手段を採用している。すなわち、本発明に係る漏電遮断器は、操作ハンドル、可動子、リンク軸及びフレームを備える。操作ハンドルは、漏電遮断器の閉状態と開状態とを切り替える。可動子は、固定接点に接触する位置と、固定接点に接触しない位置とにわたって可動接点を移動させる。リンク軸は、操作ハンドルと可動子とに連結され、操作ハンドルの位置と可動子の位置とを対応づける。フレームは、対向した状態で底面から立設する、第１の側壁及び第２の側壁を有する。操作ハンドル、可動子、リンク軸は、第１の側壁に対して組み付けられる。第２の側壁は、底面に対する立設角を変更可能に設けられるとともに、第１の側壁に対して組み付けられた操作ハンドル、可動子、リンク軸の抜け止めとなる。
【００１０】
この漏電遮断器では、例えば、底面に対して立設角を変更可能な第２の側壁が第１の側壁と反対側に傾いた状態で各部品の組み付けを完了した後、第２の側壁が底面に対して略直角となる状態にまで変形することで、第１の側壁に組み付けた各部品を離脱不能として一体化することができる。その結果、従来に比べて、組立て作業を容易とした漏電遮断器を実現することができる。
【００１１】
以上の漏電遮断器において、立設角を構成する、第２の側壁と底面と境界部分の変形強度が、フレームの他の部分の変形強度よりも弱い構成を採用することができる。また、第２の側壁が貫通孔を備え、第１の側壁に支持されるとともに、当該貫通孔に挿入される軸部材がある場合、当該軸部材の第２の側壁側の端部に切欠き部が設けられる構成を採用することもできる。
【発明の効果】
【００１２】
本発明によれば、比較的簡単な構成でリンク機構を一体物としてユニット化することができる。その結果、組立て作業を容易とした漏電遮断器を実現することができる。
【図面の簡単な説明】
【００１３】
【図１】本発明の一実施形態における漏電遮断器を示す分解斜視図
【図２】本発明の一実施形態における漏電遮断器のリンク機構ユニットを示す斜視図
【図３】本発明の一実施形態における漏電遮断器のリンク機構ユニットを示す図
【発明を実施するための形態】
【００１４】
以下、本発明の一実施形態について、図面を参照しながらより詳細に説明する。以下では、単相用の漏電遮断器として本発明を具体化する。
【００１５】
図１は本実施形態における漏電遮断器を示す分解斜視図である。図１に示すように、本実施形態の漏電遮断器１０は、制御基板・主回路ユニット１１、リンク機構ユニット１２、上ケースユニット１３、固定接点ユニット１４、下ケース２１、可動子ばね２２、可動子２３、プランジャ２４、テスト回路ばね２５、２本の鋲２６を備える。ここで、制御基板・主回路ユニット１１、リンク機構ユニット１２、上ケースユニット１３、固定接点ユニット１４は、複数の部品を組立てることで一体化された複合部品であり、下ケース２１、可動子ばね２２、可動子２３、プランジャ２４、テスト回路ばね２５、鋲２６は単体の部品である。
【００１６】
制御基板・主回路ユニット１１は零相変流器１１１を備え、零相変流器１１１の２次側の電流変動を検出するとともに、当該電流変動が予め指定された条件を満足したときに、主回路を導通状態（閉状態）から非導通状態（開状態）に移行させる機能を有している。なお、本実施形態の漏電遮断器１０は単相用であるため、零相変流器１１１の貫通孔には、電気的に分離した２つの主回路１１２、１１３が配置されている。
【００１７】
固定接点ユニット１４は、固定接点として機能する接点３１ａを備える導電金具３１と、導電金具３１に形成されたネジ穴に螺合する端子ネジ３２を備える。端子ネジ３２と導電金具３１とにより挟持される座金３３と導電金具３１との間に負荷側接続用配線を固定することができる。
【００１８】
リンク機構ユニット１２は、閉状態と開状態とを切り替える操作ハンドル２の位置と、主回路の閉状態及び開状態とを対応づける機能を有している。特に限定されないが、本実施形態では、操作ハンドル２が閉状態の位置にあるとき、リンク機構ユニット１２は、制御基板・主回路ユニット１１が備える平板状の接点板１１４を、可動子ばね２２により可動子２３に付与される付勢力に抗して下ケース２１方向に押圧し、接点板１１４の先端に設けられた可動接点である接点１１４ａを固定接点ユニット１４の導電金具３１の接点３１ａに接触させる。リンク機構ユニット１２は、当該状態を維持することで、主回路を閉状態で維持する。また、リンク機構ユニット１２の操作ハンドル２が開状態の位置にあるとき、接点板１１４に対する下ケース２１方向への押圧力は作用しないため、接点板１１４は可動子２３により上ケースユニット１３方向に移動され、接点１１４ａと接点３１ａとが接触しない状態になる。これにより、主回路の開状態が実現される。
【００１９】
上ケースユニット１３は、動作テストボタンを備える蓋体である。特に限定されないが、漏電遮断器１０では、動作テストボタンが押下されると当該押下に応じてテスト回路ばね２５が下ケース２１方向に移動して制御基板・主回路ユニット１１のテスト端子に接触する。これにより、零相変流器１１１の２次側に電流変動を発生させることができ、漏電遮断器１０が正常に動作するか否かを確認することができる。
【００２０】
図１に示すように、本実施形態の漏電遮断器１０は、下ケース２１に対して、可動子ばね２２、可動子２３、固定接点ユニット１４、制御基板・主回路ユニット１１、テスト回路ばね２５、リンク機構ユニット１２、プランジャ２４、上ケースユニット１３を順に一方向（ここでは、下ケース２１の底面に対して垂直な方向）から配置し、鋲２６により上ケースユニット１３を下ケース２１に対して固定することで組み立てることができる。
【００２１】
図２は、組立て時のリンク機構ユニット１２を示す斜視図である。また、図３は、組立てが完了した状態のリンク機構ユニット１２を示す正面図である。
【００２２】
図２及び図３に示すように、リンク機構ユニット１２は、リンク機構ユニット１２を構成する各部品が組み付けられるフレーム１を備える。本実施形態では、リンク機構ユニット１２は、構成部品として、操作ハンドル２、操作ハンドル軸２ａ、操作ハンドルばね３、可動子４、リンク軸５、引外し枠６及び復帰ばね７を含む。
【００２３】
フレーム１は、下ケース２１に組み付けられた際に、下ケース２１の底面に対して平行に配置される底面１ｃと、底面１ｃから立設する側壁１ａ（第１の側壁）、側壁１ｂ（第２の側壁）を備える。側壁１ａと側壁１ｂとは互いに対向する状態に設けられる。特に限定されないが、本実施形態では、側壁１ａ、１ｂにおいて、基端部（底面１ｃ側の端部）から先端部までの長さ（以下、高さという。）は、側壁１ａの方が側壁１ｂよりも大きくなっている。ここでは、側壁１ｂの高さは、側壁１ａの高さの半分程度になっている。
【００２４】
また、図２に示すように、リンク機構ユニット１２を構成する各部品をフレーム１に組み付ける状況下では、側壁１ａと底面１ｃとのなす角（立設角）は略直角であり、側壁１ｂと底面１ｃとのなす角は鈍角になっている。すなわち、側壁１ｂは、側壁１ａと反対の方向に傾いた状態で底面１ｃから立設している。側壁１ｂは、リンク機構ユニット１２を構成する各部品のフレーム１への組み付けが完了すると、側壁１ｂの立設角が略直角となる状態まで変形（回動変形）される。本実施形態では、側壁１ｂと底面１ｃとは、適度な剛性を有するステンレス等からなる単一の板状部材を曲げ加工することで形成されている。また、本実施形態では、図２に示すように、底面１ｃと側壁１ｂとの境界部分（角部分）に窓（貫通孔）を設けることで、境界部分の変形強度が、フレーム１の他の部分の変形強度よりも弱くなるように構成している。これにより、フレーム１において回動変形する部分以外の部分の変形を抑制することができる。
【００２５】
図２及び図３に示すように、操作ハンドル軸２ａの一方端がフレーム１の側壁１ａに設けられた貫通孔に挿入された状態で固着される。当該操作ハンドル軸２ａが、操作ハンドル２に形成された貫通孔に挿通されることで、操作ハンドル２は操作ハンドル軸２ａ周りに回動可能に支持される。
【００２６】
操作ハンドルばね３はねじりコイルばねにより構成され、図３に示すように、操作ハンドルばね３のコイル部は側壁１ａ側において操作ハンドル軸２ａの周囲に配置される。操作ハンドルばね３は、一端がフレーム１の側壁１ａに設けられた凸部に係止されるとともに他端が操作ハンドル２に係止され、操作ハンドル２を、閉状態に対応する位置から開状態に対応する位置へ付勢する。
【００２７】
可動子４は、接点板１１４を下ケース２１方向に押圧する機能を有する。可動子４と操作ハンドル２とは、リンク軸５により連結されている。リンク軸５は両端が一方向に向けて曲げ加工された略Ｕ字状の棒状部材であり、一方端が操作ハンドル２において操作ハンドル軸２ａから偏心した位置に、操作ハンドル軸２ａの軸方向に沿って設けられた貫通孔に挿入される。また、リンク軸５の他方端は、操作ハンドル軸２ａの軸方向に沿って可動子４に設けられた貫通孔に挿入される。リンク軸５の両端は、操作ハンドル軸２ａに沿う方向に向けられており、フレーム１の側壁１ａと反対側（側壁１ｂ側）から側壁１ａの方向に向けて対応する貫通孔にそれぞれ挿入される。
【００２８】
また、図２に示すように、可動子４の貫通孔に挿入されたリンク軸５の先端は、側壁１ａに設けられた溝部１ｄに挿入される。ここでの詳細な説明は省略するが、当該溝部１ｄは、操作ハンドル２を閉状態に対応する位置に移動させたときにリンク軸５の先端を係止し、操作ハンドル２を操作ハンドルばね３の付勢力に抗して当該状態に保持する構造に形成されている。
【００２９】
引外し枠６は、一端が、底面１ｃの近傍で、側壁１ａ、１ｂに設けられた貫通孔に軸支される構成であり、復帰ばね７により一方の回動方向に付勢されている。本実施形態では、引外し枠６は樹脂材料により構成されており、側壁１ａ、１ｂに設けられた貫通孔に挿入される軸６ａは、貫通孔の反対側に突出する長さを有する状態で一体成型されている。引外し枠６は、トリップ動作時にプランジャ２４が駆動されたときに復帰ばね７の付勢力に抗して回動し、当該回動に応じて、可動子４の貫通孔に挿入されたリンク軸５の先端と溝部１ｄとの間の上述の係止を解消する方向の力をリンク軸５に対して直接的又は間接的に作用させる。
【００３０】
図２に示すように、フレーム１の側壁１ｂが、側壁１ａと反対側に傾いた状態で以上の各部品のフレーム１への組み付けが完了すると、図３に示すように、側壁１ｂは、底面１ｃに対する立設角が略直角となる状態にまで変形される。この変形により、側壁１ｂは、リンク軸５の抜け止めとして機能することになる。すなわち、リンク軸５が離脱できない構成となるため、本実施形態の構成では、必然的に、リンク機構ユニット１２を構成する他の部品も、フレーム１から離脱不能となる。なお、当該変形時に引外し枠６の軸６ａが側壁１ｂと干渉することがないように、軸６ａの側壁１ｂ側の端部には切欠き６ｂが形成されている。
【００３１】
以上のように、底面１ｃに対して立設角を変更可能な側壁１ｂを備える構成では、側壁１ｂが側壁１ａと反対側に傾いた状態でリンク機構ユニット１２の組立てを完了した後、側壁１ｂが底面１ｃに対して略直角となる状態にまで変形することで、リンク機構ユニット１２の各部品を離脱不能として一体化することができる。そして、下ケース２１に容易に組み込むことが可能となる。
【００３２】
以上説明したように、本発明によれば、比較的簡単な構成でリンク機構を一体物としてユニット化することができる。その結果、組立て作業を容易とした漏電遮断器を実現することができる。
【００３３】
なお、上述した実施形態は本発明の技術的範囲を制限するものではなく、既に記載したもの以外でも、本発明の範囲内で種々の変形や応用が可能である。例えば、フレームが有する対向した２つの側壁の一方の側壁の立設角を変更可能に構成するとともに、当該側壁をフレームに組み込んだ部品の抜け止めとして使用する構成であれば、漏電遮断器の他の部分の構成は任意である。
【００３４】
また、上述の実施形態では、図２に示すように、底面１ｃと側壁１ｂとの境界部分（角部分）に窓（貫通孔）を設けることで、境界部分の変形強度が、フレーム１の他の部分の変形強度よりも弱くなるようにしたが、境界部分の肉厚を薄くして他の部分の変形強度よりも弱くなるようにしてもよく、また、境界部分の変形強度はフレーム１の他の部分の変形強度と同等であってもよい。
【００３５】
さらに、上述の実施形態では、単相用の漏電遮断器として本発明を具体化したが、単相用に限らず、任意の漏電遮断器に本発明を適用することも可能である。
【産業上の利用可能性】
【００３６】
本発明によれば、比較的簡単な構成でリンク機構を一体物としてユニット化し、組立て作業を容易にすることができ、漏電遮断器として有用である。
【符号の説明】
【００３７】
１  フレーム
１ａ  側壁（第１の側壁）
１ｂ  側壁（第２の側壁）
１ｃ  底面
１ｄ  溝部
２  操作ハンドル
４  可動子
５  リンク軸
６  引外し枠
６ａ  軸
６ｂ  切欠き部
１０  漏電遮断器
１１  制御基板・主回路ユニット
１２  リンク機構ユニット
１３  上ケースユニット
１４  固定接点ユニット
２１  下ケース２１
３１  導電金具
３１ａ  接点（固定接点）
１１４  接点板
１１４ａ  接点（可動接点）
【図１】
2018101553.tif 000003
【図２】
2018101553.tif 000004
【図３】
2018101553.tif 000005